(57)【要約】【課題】プラスチック針の鍔部に、ＡＶＦ針（または留置針）の保持溝を形成することにより、ＡＶＦ針（または留置針）が口部から抜けることはないプラスチック針及び医療用具を提供すること。【解決手段】針基（３）に針管（２）を一体に成形し、当該針管（２）の前方側部に液体通路（５）を形成し、前記針基（３）の外周に鍔部（４）を突設し、当該鍔部（４）にチューブＴの保持溝（８）を形成したプラスチック針（１）。前記プラスチック針（１）は、チューブ（Ｔ）の保持溝（８）に連続して、当該保持溝（８）より幅の狭いガイド溝（９）を形成した。【選択図】図１
0003118321.tif 000002
【実用新案登録請求の範囲】
【請求項１】
針基（３）に針管（２）を一体に成形し、当該針管（２）の前方側部に液体通路（５）を形成し、
前記針基（３）の外周に鍔部（４）を突設し、当該鍔部（４）にチューブＴの保持溝（８）を形成した、ことを特徴とするプラスチック針（１）。
【請求項２】
チューブ（Ｔ）の保持溝（８）に連続して、当該保持溝（８）より幅の狭いガイド溝（９）を形成した請求項１に記載のプラスチック針（１）。
【請求項３】
鍔部（４）にチューブ（Ｔ）の保持溝（８）を少なくとも二箇所以上形成した請求項１ないし請求項２に記載のプラスチック針（１）。
【請求項４】
前記針管（２）の外周にリブ（７）を突設し、当該リブ（７）は、針管（２）の尖端方向に下方向に傾斜し、針基（３）方向に上方向に傾斜する形状を具備する請求項１ないし請求項３に記載のプラスチック針（１）。
【請求項５】
請求項１ないし請求項４に記載のプラスチック針（１）を装着した医療用具。
【考案の詳細な説明】
【技術分野】
【０００１】
本考案は、輸液セット、輸血セット、血液回路等の医療用具に装着して使用されるプラスチック針の改良及び当該プラスチック針を装着した医療用具に関するものである。
【背景技術】
【０００２】
以下、血液透析の場合について、説明する。
（１）プライミング
プラスチック針付の輸液セットのチューブ側を血液回路（動脈側回路）に接続し、プラスチック針を、生理食塩水入り容器の口部に刺して、生理食塩水を、プラスチック針、チューブを経て、血液回路（動脈側回路と静脈側回路）並びに透析器にプライミングする。
プライミング終了後は、プラスチック針を生理食塩水入り容器の口部から抜くが、チューブまたは血液回路（動脈側回路）をクランプ等で閉塞して（液体流路を遮断して）、プラスチック針から生理食塩水が漏れないようにする。
なお、風邪等により血圧の低下した患者の場合、血液透析中にプラスチック針から再び生理食塩水を投与する必要があるため、プラスチック針は生理食塩水入り容器に刺したままにしておく。
（２）血液透析
患者の動脈側と静脈側に、それぞれＡＶＦ針（動脈側回路と静脈側回路に接続されている。または留置針を使用する場合もある。）を刺し，患者の血液を、動脈側回路を経て透析器で透析し、静脈側回路を経て患者に戻す。
（３）残血の回収
血液回路（動脈側回路と静脈側回路）や透析器内の残血を回収する。患者の動脈側に刺していたＡＶＦ針を抜いて、生理食塩水入り容器（の口部）に刺し、生理食塩水を、ＡＶＦ針、チューブを経て、動脈側回路、透析器、静脈側回路の順に流し、血液回路（動脈側回路と静脈側回路）と透析器内の残血を一緒に、静脈側から患者へ戻す。
前記操作中、生理食塩水入り容器（の口部）には、プラスチック針とＡＶＦ針（または留置針）が刺さった状態であるが、容器（の口部）にプラスチック針とＡＶＦ針（または留置針）を、長時間刺した状態にすると、容器（の口部）に負荷がかかり、通常、針径の小さいＡＶＦ針（または留置針）のほうが、抜けやすくなる。
【０００３】
プラスチック針の場合、容器（の口部）から抜けにくくする工夫として、針管の外周にリブ、小突起を突設した発明が、特許文献１、特許文献２に開示されている。
特許文献１の発明は、リブの最下端部が、容器の口部の表面と密接することにより、一度プラスチック針を刺通すると引き抜こうとしても容易に引き抜けなくなる。特許文献２の発明は、小突起が薬びんの栓中に挿入・係止されるので、栓から外れないように、抵抗がもたらされる。
【０００４】
他方、ＡＶＦ針の場合、針管は金属製で、針径も小さいので、前記のようにプラスチック針に比べ容器の口部から抜けやすい。しかしＡＶＦ針（または留置針）の場合、そもそも患者の動脈・静脈に穿刺するものであるから、プラスチック針と同様に、特許文献１、特許文献２のように、容器（の口部）から抜けにくくなるように、針管の外周にリブ、小突起を突設すると危険であり、現実的には、でききない。仮に突設しようとしても、ＡＶＦ針の針管は金属製で、針径も小さいので、加工が困難である。
【特許文献１】実開昭６２−１１９９４６号公報（図２、３参照）
【特許文献２】特公平０６−２６５８５号公報（図３９参照）
【考案の開示】
【考案が解決しようとする課題】
【０００５】
容器（の口部）に、プラスチック針とＡＶＦ針（または留置針）の双方を、長時間刺した状態にすると、針径の小さいＡＶＦ針（または留置針）のほうが、抜けやすくなる点である。
【課題を解決するための手段】
【０００６】
［１］本考案は、針基（３）に針管（２）を一体に成形し、当該針管（２）の前方側部に液体通路（５）を形成し、
前記針基（３）の外周に鍔部（４）を突設し、当該鍔部（４）にチューブＴの保持溝（８）を形成したプラスチック針（１）を提供する。
［２］本考案は、チューブ（Ｔ）の保持溝（８）に連続して、当該保持溝（８）より幅の狭いガイド溝（９）を形成した［１］に記載のプラスチック針（１）。
［３］本考案は、鍔部（４）にチューブ（Ｔ）の保持溝（８）を少なくとも二箇所以上形成した［１］ないし［２］に記載のプラスチック針（１）を提供する。
［４］本考案は、前記針管（２）の外周にリブ（７）を突設し、当該リブ（７）は、針管（２）の尖端方向に下方向に傾斜し、針基（３）方向に上方向に傾斜する形状を具備する［１］ないし［３］に記載のプラスチック針（１）を提供する。
［５］本考案は、［１］ないし［４］に記載のプラスチック針（１）を装着した医療用具を提供する。
【考案の効果】
【０００７】
プラスチック針１の鍔部４に、ＡＶＦ針１０（または留置針）の保持溝８を形成することにより、輸液剤容器（生理食塩水入り容器）１１の口部１２に、プラスチック針１とＡＶＦ針１０（または留置針）を同時に刺しても、ＡＶＦ針１０（または留置針）の負荷は、プラスチック針１の鍔部４の保持溝８で支えられるので、口部１２にかかる負荷が軽減され、ＡＶＦ針１０（または留置針）が口部１２から抜けることはない。
【考案を実施するための最良の形態】
【０００８】
図１は本考案のプラスチック針１の斜視図、図２は本考案のプラスチック針１の鍔部４の拡大図で、（ａ）は実施例1、（ｂ）は実施例２、（ｃ）は実施例３、図３は本考案のプラスチック針１の使用状態図である。
本考案のプラスチック針１は、針基３に針管２を一体に成形し、当該針管２の前方側部に液体通路５を形成している。前記針基３の外周に鍔部４を突設し、当該鍔部４にチューブＴの保持溝８を形成している。
【０００９】
［針管２］
針管２は図１に例示すように前方側部に液体通路５を形成することにより、針管２の尖端の断面積が小さくなりかつ針管２の強度も維持されるので、輸液剤容器（生理食塩水入り容器）１１の口部１２（の栓体）へ突刺する際の刺通抵抗を極小にすることができ、突刺操作を容易にすることができる。また針管２の外周壁に、必要に応じてリブ７を突設してもよい。
【００１０】
［鍔部４］
図１に例示すように鍔部４は、針基３の外周に突設されている。
鍔部４は、針管２ないし針基３と同材質のプラスチック（合成樹脂）で、針基３に一体成形しても良いし、針管２ないし針基３と別部品として、同材質または異材質で成形し、針基３に装着するようにしても良い。鍔部４は、図１ないし図２の例示では、略半円ないし略円状に形成されているが、略正方形、略矩形、略菱形でも良い。
また鍔部４にはチューブＴの保持溝８が形成されている。保持溝８は、図１ないし図２の例示では、略円状に形成されているが、チューブＴを装着したときに、チューブＴ内を流れる液体を遮断することなく、チューブＴを保持（固定）することができれば、略円状以外に何でも良い。
図２（ａ）の実施例1は、略半円状の鍔部４にチューブＴの保持溝８を一箇所形成したものである。図２（ｂ）の実施例２は、チューブＴの保持溝８を二箇所形成したものである。二箇所形成することにより、チューブＴをどちらの方向からもでも、保持溝８に装着できるので、装着時にチューブＴを無理に捻ることなく、装着できるので操作性が向上する。図２（ｃ）の実施例３は、保持溝８に連続して、当該保持溝８より幅の小さいガイド溝９を設けることにより、チューブＴを容易に保持溝８へ誘導させることができる。
保持溝８は、最低一箇所形成すれば良いが、二箇所ないし四箇所形成することにより、前記のように操作性を向上させることができる。
【００１１】
［リブ７］
リブ７は、図１の例示では、針管２の外周に二箇所形成され、針管２の尖端方向に下方向に傾斜し（小さくなる）、針基３方向に上方向に傾斜する（大きくなる）小さな略翼状に形成されているが、針管２の外周に三箇所ないし四箇所形成しても良いし、リング状に形成しても良い。
要するに、リブ７は、針管２の尖端方向に下方向に傾斜し（小さくなる）、針基３方向に上方向に傾斜する（大きくなる）形状を具備していれば、何でも良い。
図３に例示するように、針管２を輸液剤容器１１の口部１２（の栓体）に刺通し、そのまま口部１２の取り付け方向にプラスチック針１を押すとリブ７も同時に口部１２の中に入っていく。リブ７は抵抗なく口部１２の肉を押し広げながら入っていくことができる。リブ７が貫通したら、プラスチック針１はそのまま固定できる。すなわちリブ７の大きく形成された最下端部が、口部１２の表面と密接することになり、これによって一度プラスチック針１を刺通すると引き抜こうとしても容易に引き抜けなくなる。つまりプラスチック針１は、口部１２にしっかり固定されるので、使用中に各輸液セットの各部分による総重量に耐えることができ、針管２の抜ける方向に加わる力（負荷）を極力抑止（軽減）することができる。
【００１２】
本考案のプラスチック針１を使用する場合は、図３に例示（血液透析の場合）するように、プラスチック針１の鍔部４に、ＡＶＦ針１０（または留置針）の保持溝８を形成することにより、輸液剤容器（生理食塩水入り容器）１１の口部１２に、プラスチック針１とＡＶＦ針１０（または留置針）を同時に刺しても、ＡＶＦ針１０（または留置針）の負荷は、プラスチック針１の鍔部４の保持溝８で支えられるので、口部１２にかかる負荷が軽減され、ＡＶＦ針１０（または留置針）が口部１２から抜けることはない。
【図面の簡単な説明】
【００１３】
【図１】本考案のプラスチック針１の斜視図
【図２】図１の鍔部４の拡大図（ａ）実施例1、（ｂ）実施例２、（ｃ）実施例３
【図３】本考案のプラスチック針１の使用状態図
【符号の説明】
【００１４】
１  プラスチック針
２  針管
３  針基
４  鍔部
５  液体通路
７  リブ
８  保持溝
９  ガイド溝
１０  ＡＶＦ針
１１  輸液剤容器
１２  口部
Ｔ  チューブ
【図２】
0003118321.tif 000003
【図３】
0003118321.tif 000004
【図１】
0003118321.tif 000005